(57)【特許請求の範囲】
【請求項１】
下端に取付部、中間に支承部および支承部から起立した少なくとも一対の腕部を備えた基体と；
下部開口を有し支承部に当接する底面を備えるとともに、上端が開放され腕部の間に位置して固定された椀状の透光グローブと；
透光グローブに覆合し、かつ腕部に固定されて透光グローブと協働してグローブを形成する伏せ椀状の遮光カバーと；
基体に支持されたソケットと；
を具備していることを特徴とする照明器具。
【請求項２】
透光グローブは、その側面に基体の腕部が嵌合して腕部の外面がこれに隣接する透光グローブとほぼ面一になる複数の凹溝を備えていることを特徴とする請求項１記載の照明器具。
【請求項３】
透光グローブおよび遮光カバーは、ほぼ真球状のグローブを形成していることを特徴とする請求項１または２記載の照明器具。
【請求項４】
遮光カバーは、その下端周縁が基体の腕部に固定されていることを特徴とする請求項１ないし３のいずれか一記載の照明器具。
【請求項５】
遮光カバーは、両端が基体の腕部に固着されたブリッジ部材を介して腕部に固定されていることを特徴とする請求項１ないし３のいずれか一記載の照明器具。
【請求項６】
透光グローブは、合成樹脂製であり；
遮光カバーは、金属製である；
ことを特徴とする請求項１ないし５のいずれか一記載の照明器具。
【請求項７】
透光グローブおよび遮光カバーの間にリング体が介在していることを特徴とする請求項１ないし６のいずれか一記載の照明器具。
【請求項８】
リング体は、腕部に固定されており；
遮光カバーは、リング体にねじで着脱自在に固定されている；
ことを特徴とする請求項７記載の照明器具。
【請求項９】
透光グローブは、腕部およびリング体の間に挟持されていることを特徴とする請求項７または８記載の照明器具。
【請求項１０】
透光グローブの上端は、グローブの上下方向の中央より上方に位置していることを特徴とする請求項１ないし９のいずれか一記載の照明器具。
【請求項１１】
遮光カバーの開口端は、内側へ折り返されていることを特徴とする請求項１ないし１０のいずれか一記載の照明器具。
【請求項１２】
支承部は、互いに離間した複数のボス部を備えるとともにボス部の間に少なくとも１個以上の水抜き孔を備えており；
複数のボス部の上に載置されて固着された遮光性部材を具備している；
ことを特徴とする請求項１ないし１１のいずれか一記載の照明器具。
【発明の詳細な説明】
【０００１】
【発明の属する技術分野】
本発明はグローブを備えた照明器具に関する。
【０００２】
【従来の技術】
従来、街路灯などにおいて、真球状のガラスグローブを備えた照明器具がある。
真球状のグローブは、デザインがシンプルであるために好まれ多用されている。そして、透明な真球状のグローブを備えた照明器具は、光源から放射される光を制御する部分がないため、天空を含めてかなり広範囲に照明光を放射する。
【０００３】
しかし、近時障害光が社会的に問題にされてきており、所望方向以外へは光を出さない照明器具の出現が望まれている。特に天空に対して照明光が放射されるのは忌避される傾向にある。
【０００４】
そこで、真球状のグローブの内面の上半球部にアルミニウムの蒸着による反射膜を形成したものが知られており、このグローブを用いれば、天空方向に対する障害光の問題は解決することができる。
【０００５】
さらに、光源の周囲に環状のルーバを多段に配設して、障害光を抑制する構成の照明器具がある。
【０００６】
他方、ガラスグローブは投石などによって破損しやすいという問題がある。
【０００７】
【発明が解決しようとする課題】
以上のように、従来のこの種の照明器具は、天空方向への障害光を放射するとともに、破損しやすいという問題がある。
【０００８】
また、透明なガラスグローブの上半球部に反射膜を備えた照明器具は、天空方向への障害光の問題はないが、破損しやすい。
【０００９】
さらに、グローブ内において、ルーバを配設した照明器具においては、光源を着脱するためにはまずグローブを外し、次にルーバを外さなければならないので、作業が面倒であるばかりでなく、グローブの開口径を大きくする必要があるから、デザイン的に制約を受ける。また、グローブがガラス製であれば、破損の問題もある。
【００１０】
以上のように従来の照明器具は、天空方向への障害光、光源着脱の作業性、グローブの破損の問題に対して、全てを解決したものがなかった。
【００１１】
本発明は、天空方向への障害光を放射しないで、しかも光源の着脱が容易であり、さらに要すればグローブを破損しにくくして、さらにデザイン的に優美なグローブを備えた照明器具を提供することを目的とする。
【００１２】
【課題を達成するための手段】
請求項１の発明の照明器具は、下端に取付部、中間に支承部および支承部から起立した少なくとも一対の腕部を備えた基体と；下部に支承部に当接する下部開口を備えるとともに、上端が開放され腕部の間に位置して固定された椀状の透光グローブと；透光グローブに覆合し、かつ腕部に固定されて透光グローブと協働してグローブを形成する伏せ椀状の遮光カバーと；基体に支持されたソケットと；を具備していることを特徴としている。
【００１３】
本発明および以下の各発明において、特に指定しない限り用語の定義および技術的意味は次による。
【００１４】
本発明の照明器具は、屋外用照明器具特にガーデンライトに好適であるが、これに限定されない。街路灯、ブラケットなどにも適応する。さらに、要すれば屋内用としても適応する。
【００１５】
まず、基体について述べる。
【００１６】
基体の下端にある取付部は、支柱などに照明器具を取り付けるために機能する部分であれば、その構造は自由である。しかし、支柱に取り付ける場合は、筒状に形成し、押しねじで固定するなどの手段を用いることができる。
【００１７】
支承部は、透光グローブの底面を当接させ透光グローブを支える部分で、防水的に支承することができ。しかし、防水的に支承することは必須ではなく、グローブの内部に侵入した雨水を確実に排水することが重要であり、そのために水抜き孔を支承部に形成する方が好ましい。
【００１８】
ただし、水抜き孔から光が漏れると、水抜き孔から漏れる光に誘われて、昆虫が水抜き孔からグローブ内に侵入しやすいから、光漏れ防止手段を講じる必要がある。
【００１９】
また、支承部は、多くの場合、取付部と一体に成形する。
【００２０】
次に、少なくとも一対の腕部とは、最低２個の腕部があればよいという意味であり、３個以上の腕部をたとえば等間隔に備えていてもよい。腕部は、支承部から起立するが、支承部と一体成形してもよいし、別体に形成したものを支承部に固定してもよい。そして、腕部の形状は、好ましくは透光グローブの輪郭と一致するものである。
【００２１】
腕部を支承部と一体に形成する場合には、基体をアルミニウムダイキャストによって取付部、支承部および腕部を全て一体成形することができる。
【００２２】
また、腕部を支承部と別体に形成する場合は、両者をねじなどの固着具によって固定すればよく、これにより成形も容易となる。
【００２３】
次に、グローブについて述べる。
【００２４】
グローブは、透光グローブおよび遮光カバーを主要部として光源を包囲するように構成される。グローブは、真球状ないし楕円球状をなすことができるが、角形たとえば立方体形状、直方体形状、算盤玉形状、多角立体形など任意の立体形状にすることができる。
【００２５】
透光グローブの上端すなわちグローブの分割ラインは、グローブの上下方向の中央に設定することができるが、要すれば中央より上側または下側に偏位させることもできる。したがって、分割ラインのグローブの上下方向における位置は自由である。
【００２６】
また、グローブは、透光グローブおよび遮光カバーのみで構成されている必要はなく、透光グローブおよび遮光カバーがグローブの主要部を構成しているならば、他の副次的な部材が介在していてもよい。たとえば、透光グローブと遮光カバーとの間にリング体を介在させることができる。リング体は、合成樹脂、金属などの遮光性の材料を成形または曲成させて形成することができる。
【００２７】
グローブにリング体を介在させる場合に、リング体を遮光カバーと一体に固定してから透光グローブに取り付けることができる。また、リング体を透光カバーと一体に固定してから遮光カバーをリング体に取り付けることもできる。さらに、リング体は、腕部に取り付けてもよい。後者の構成を採用する場合に、腕部とリング体とで透光グローブを挟持するように構成することができる。
【００２８】
透光グローブについて
透光グローブは、好ましくはアクリル樹脂、ポリカーボネート樹脂などの透明で機械的強度が大きくて透明な材料から製作される。また、透光グローブは機械的に強化されたガラスであってもよい。
【００２９】
また、透光グローブは、透明質に限定されるものでなく、光拡散透過性の材料または表面をサンドブラスト処理、プリズム成形などにより、光拡散透過性に処理した透明質の材料から製作されたものであってもよい。
【００３０】
したがって、本発明において、透光とは、透明および光拡散透過性のいずれをも含む。
【００３１】
さらに、透光グローブは、その底面に下部開口を有し、上端が開放された椀状であればよく、その具体的な形状は特に制限されないが、ほぼ半球形状にすることができる。また、透光グローブの外側面には基体の腕部が嵌合することができる凹溝を形成することが望ましい。
【００３２】
さらにまた、透光グローブは、基体の支承部に下部開口を当接させて、かつ腕部の間において、さらに透光グローブに凹溝が形成されている場合には、凹溝に腕部が好ましくは腕部の外面がこれに隣接する透光グローブとほぼ面一になるように嵌合した状態で基体に固定される。
【００３３】
遮光カバーについて
遮光カバーは、遮光性を付与されているなら、材料は制限されないが、機械的強度を十分に得られる点においては金属製であることが好ましい。金属製の場合、金属板をへら絞り加工またはプレスによる深絞り加工してもよいし、アルミニウムダイキャストのように鋳造してもよい。
【００３４】
また、遮光カバーは、透光グローブに覆合し、透光グローブと協働してグローブを形成する。そのため、遮光カバーは、伏せ椀状をなす。透光グローブと協働して真球状のグローブを得ようとする場合は、遮光カバーをほぼ半球形状にすることができる。しかし、本発明においてはグローブの形状は前述したように真球状に限定されるものではない。
【００３５】
また、遮光カバーは、基体の腕部に固定されるが、固定は直接的、間接的のいずれであってもよい。直接的とは、遮光カバーをねじなどの固着具によって直接腕部に固定することをいう。間接的とは、さらにブリッジ部材のような部材またはリング体などを介して腕部に固定することをいう。
【００３６】
光源およびその関連について述べる。
【００３７】
本発明において、用いる光源は制限されない。たとえば、水銀ランプ、メタルハライドランプおよび高圧ナトリウムランプなどの高輝度放電ランプ、コンパクト形蛍光ランプ、白熱電球などの光源を用いることができる。
【００３８】
なお、白熱電球としては、一般照明用電球、ハロゲン電球、クリプトン電球などを用いることができる。
【００３９】
したがって、使用する光源の種類および消費電力に応じて最適なソケットおよびソケット取付位置を採用することができる。
【００４０】
さらに、ソケットは直接または間接的に基体に支持されていればよい。好ましくは基体の支承部にソケット取付板を固定して、このソケット取付板にソケットを取り付けるのがよい。
【００４１】
作用について説明する。
【００４２】
本発明においては、グローブを椀状の透光グローブとこれに覆合する伏せ椀状の遮光カバーとを主要部として構成しているため、予め透光グローブを基体に固定しておくことができる。光源の着脱は遮光カバーを取り外して行う。
【００４３】
したがって、透光グローブの開放端はその径が大きいから、光源着脱の作業が容易である。また、光源の周囲に所望により、ルーバなどの任意の構造およびサイズの制光部材を装着することが可能である。
【００４４】
また、透光グローブは、基体の腕部の間において支承部に底面を当接するので、装着が容易である。
【００４５】
さらに、グローブの形状を真球状はもちろんのこと、種々の形状にすることができる。
【００４６】
さらにまた、遮光カバーは直接または間接的に腕部に固定され、透光グローブは基体に固定されるので、グローブを機械的に強固に固定することができる。
【００４７】
さらにまた、グローブの上半部を遮光カバーによって構成するので、天空部に障害光を放射することを抑制することができる。
【００４８】
さらにまた、透光グローブを機械的強度の大きい合成樹脂などで形成し、また遮光カバーを金属など強度の大きい材料で形成することにより、グローブの強度を高めることができ、このため投石などによって容易に破損しないものにすることもできる。
【００４９】
請求項２の発明の照明器具は、請求項１記載の照明器具において、透光グローブは、その側面に基体の腕部が嵌合して外面をこれに隣接する透光グローブとほぼ面一になる複数の凹溝を備えていることを特徴としている。
【００５０】
本発明は、透光グローブの外側面に凹溝を形成して腕部を嵌合させるので、透光グローブの基体への装着が容易で、しかも透光グローブの固定が確実になるばかりでなく、腕部の外面をこれに隣接する透光グローブとをほぼ面一にするので、腕部が違和感を与えないで、デザイン的に優美になるものである。
【００５１】
請求項３の発明の照明器具は、請求項１または２記載の照明器具において、透光グローブおよび遮光カバーは、ほぼ真球状のグローブを形成していることを特徴としている。
【００５２】
本発明においては、グローブが真球状であるから、透光グローブおよび遮光カバーをほぼ半球状に形成することができる。ここで、半球状とは完全な半球である必要はなく、いずれか一方が他方に比べて球体の多くの部分を占めていることを許容するものである。光学的要求から透光グローブを遮光カバーより多く球体の部分を占めるようにする、すなわち分割ラインをグローブの上下方向の中央部より上方に位置させることができる。
【００５３】
請求項４の発明の照明器具は、請求項１ないし３のいずれか一記載の照明器具において、遮光カバーは、その下端周縁が基体の腕部に固定されていることを特徴としている。
【００５４】
遮光カバーを腕部に固定するために、遮光カバーの下端周縁の腕部に対向する部分を端面を除いて外側から凹ませることができる。そうすれば、遮光カバーの上から腕部の上端面にねじ込むことにより、容易に遮光カバーを腕部に固定することができる。しかし、要すれば、上記以外の構造で固定してもよい。
【００５５】
請求項５の発明の照明器具は、請求項１ないし３のいずれか一記載の照明器具において、遮光カバーは、両端が基体の腕部に固着されたブリッジ部材を介して固定されていることを特徴としている。
【００５６】
本発明において、ブリッジ部材とは対向する複数の腕部の間を橋絡する部材でり、一般的には細長い金属板をもって構成することができる。ブリッジ部材の両端を腕部の端面にたとえばねじによって固定し、その中間部に遮光カバーを固定する。遮光カバーは、その中央すなわち遮光カバーの頂点からねじをブリッジ部材にねじ込んで固定することができる。
【００５７】
要すれば、ブリッジ部材は反射体を兼ねることができる。すなわち、透光グローブの上方に位置するように所望の反射板を腕部の間に固定し、反射板を覆うように遮光カバーを透光カバーに覆合して反射板をたとえばボルトを用いて固定することができる。
【００５８】
請求項６の発明の照明器具は、請求項１ないし５のいずれか一記載の照明器具において、透光グローブは、合成樹脂製であり；遮光カバーは、金属製である；ことを特徴としている。
【００５９】
本発明によれば、投石などによるグローブの破損がなくて、しかも遮光カバーによって天空方向への障害光をなくすことができる最適な構成の照明器具を得ることができる。
【００６０】
請求項７の発明の照明器具は、請求項１ないし６のいずれか一記載の照明器具において、透光グローブおよび遮光カバーの間にリング体が介在していることを特徴としている。
【００６１】
リング体は、前述したように金属または合成樹脂で製作することができ、たとえばアルミニウムダイキャストからなる。
【００６２】
リング体を透光グローブおよび遮光カバーの間に介在させることにより、いくつかの利点が生じる。
【００６３】
すなわち、リング体でグローブの中間部を補強することができるので、グローブの強度を向上させる。
【００６４】
また、リング体によりグローブの強度を所要のの程度に維持させることにより、グローブの構造を簡素化するとともに、板厚を薄くすることができる。
【００６５】
さらに、遮光カバーの構造を簡素化できるので、遮光カバーの製作が容易になる。
【００６６】
さらにまた、遮光カバーをリング体を介して取り付けることができるので、遮光カバーの取り付けが容易になる。
【００６７】
さらにまた、遮光カバーを防水的または排水容易に取り付けることが可能になる。
【００６８】
さらにまた、透光グローブを腕部とリング体とで挟持することができ、これにより、照明器具の組立が容易になる。
【００６９】
請求項８の発明の照明器具は、請求項７記載の照明器具において、リング体は、腕部に固定されており；遮光カバーは、リング体にねじで着脱自在に固定されている；ことを特徴としている。
【００７０】
リング体の内側部分に凸条すなわち土手をリング状に形成し、この凸条にねじ孔を形成することにより、遮光カバーをリング体にねじで固定しやすくなる。
【００７１】
さらに、遮光カバーとリング体との間に複数の小さな排水溝を分散して形成することにより、遮光カバーの内面に結露した水が遮光カバーに沿って落下しても、凸条を乗り越える前に、水は排水溝から外部へ排水される。
【００７２】
請求項９の発明の照明器具は、請求項７または８記載の照明器具において、透光グローブは、腕部およびリング体の間に挟持されていることを特徴としている。
【００７３】
腕部の間に透光グローブを落とし込んで、基体の支承体に透光グローブを支承させ、さらに腕部にリング体を取り付けることにより、透光グローブを腕部とリング体との間に挟持することができる。
【００７４】
腕部を支承体にねじなどの固着具で固定する構成の場合に、固着具の頭部が当接する透光グローブの部分に透孔を形成しておけば、透孔グローブを腕部に当接するのに固着具が邪魔にならない。
【００７５】
透孔グローブとリング体との間にＯリングなどのパッキングを介在させることにより、リング体と透孔グローブとの間をシールして雨水がグローブ内に侵入するのを阻止することができる。
【００７６】
請求項１０の発明の照明器具は、請求項１ないし９のいずれか一記載の照明器具において、透光グローブの上端は、グローブの上下方向の中央より上方に位置していることを特徴としている。
【００７７】
透孔グローブの上端すなわちグローブの分割ラインをグローブの中央より上方に位置させることにより、透光部分の面積を大きくして配光特性を所望に設定することができる。
【００７８】
また、上記構成により、透光部と遮光部とのバランスが良好になってデザイン性が向上する。
【００７９】
請求項１１の発明の照明器具は、請求項１ないし１０のいずれか一記載の照明器具において、遮光カバーの開口端は、内側へ折り返されていることを特徴としている。
【００８０】
遮光カバーの開口端を内側へ折り返すことにより、遮光カバーは強度が向上するから、相対的に薄い板材を使用しても所要の強度を備えた遮光カバーを得ることができる。
【００８１】
また、上記構成により、遮光カバーの外観が良好になる。
【００８２】
請求項１２の発明の照明器具は、請求項１ないし１１のいずれか一記載の照明器具において、支承部は、互いに離間した複数のボス部を備えるとともにボス部の間に少なくとも１個以上の水抜き孔を備えており；複数のボス部の上に載置されて固着された遮光性部材を具備している；ことを特徴としている。
【００８３】
遮光性部材としては、照明器具の部品であって、遮光性のものであれば、どのようなものであってもよい。たとえば、腕部、ソケット取付板などを遮光性部材として利用することができる。
【００８４】
水抜き孔と光源との間にボス部に固着された遮光性部材が位置しているから、水抜き孔から光が漏れにくい。しかも、水抜き孔はボス部によって遮光性部材との間に隙間が確保されるので、排水に支障を来すことはない。
【００８５】
【発明の実施の形態】
以下、本発明の実施の形態を図面を参照して説明する。
【００８６】
図１は、本発明の照明器具の第１の実施形態を示す斜め横方向から見た側面図である。
【００８７】
図において、１は基体、２は透光グローブ、３は遮光カバーである。
【００８８】
まず、基体１について説明する。
【００８９】
図２は、本発明の照明器具の第１の実施形態における基体の一部縦断面正面図である。
【００９０】
図３は、同じく一部縦断面側面図である。
【００９１】
図４は、同じく平面図である。
【００９２】
各図において、１ａは取付部、１ｂは支承部、１ｃは腕部である。
【００９３】
取付部１ａは、支柱の先端を受容するように筒状をなし、押しねじをねじ込むねじ孔１ａ１を備えている。
【００９４】
支承部１ｂは、取付部１ａの上に位置していて比較的小径で外面が球面の一部をなしている。また、内面には、環状の支承座１ｂ１が形成されている。さらに、取付部１ａの上端に対向してソケット取付板の取付座１ｂ２が一体に形成されている。さらにまた、支承座１ｂ１の内側に環状の位置決め凸条１ｂ３が形成されている。
【００９５】
腕部１ｃは、その一対が支承部の外周部から一体に起立している。腕部１ｃの外面は球面の一部の形状をなしている。そして、腕部１ｃの上端面にねじ孔１ｃ１が形成されている。
【００９６】
次に、透光グローブ２について説明する。
【００９７】
図５は、本発明の照明器具の第１の実施形態における透光グローブの一部縦断面正面図である。
【００９８】
図６は、同じく側面図である。
【００９９】
図７は、同じく平面図である。
【０１００】
各図において、２ａは下部開口、２ｂは底面、２ｃは凹溝、２ｄは上部開放端、２ｅは立ち上がり縁である。
【０１０１】
透光グローブ２は、透明アクリル樹脂を全体としてほぼ半球状に成形したもので、底面２ｂの中央に下部開口２ａが形成されている。
【０１０２】
凹溝２ｃは、透光グローブの側面に対向して縦方向に形成されている。
【０１０３】
上部開放端２ｄは、透光グローブ２の上部を内側に折り曲げて、さらに上方へ折り曲げて立ち上がり縁２ｅを形成することによって形成されている。
【０１０４】
さらに、遮光カバー３について説明する。
【０１０５】
図８は、本発明の照明器具の第１の実施形態における遮光カバーの側面図である。
【０１０６】
図９は、同じく底面図である。
【０１０７】
各図において、３ａは取付凹部、３ｂは取付孔、３ｃは頂部小孔である。
【０１０８】
遮光カバー３は、アルミニウムダイキャストからなり、全体としてほぼ半球状をなしている。
【０１０９】
取付凹部３ａは、遮光カバー３の下部開放端に対向して一体形成されている。
【０１１０】
取付孔３ｂは、取付凹部３ａの底面に形成されている。
【０１１１】
頂部小孔３ｃは、遮光カバー３の頂部に形成された小孔である。
【０１１２】
以上説明した基体１、透光グローブ２および遮光カバー３の相互の組立関係について、以下図１０および図１１を参照して説明する。
【０１１３】
図１０は、本発明の照明器具の第１の実施形態における基体と透光グローブとの取付構造を示す要部拡大断面図である。
【０１１４】
基体１の支承部１ｂ１に透光グローブ２の底面２ｂを載置し、押さえリング４を底面２ｂの上に重ねて円周上の適所においてねじ５を押さえリング４の上から支承部１ｂ１にねじ込むことによって透光グローブ２は基体１に固定される。この際、環状の位置決め凸状１ｂ３が透光グローブ２の位置決めを行うとともに、グローブＧの内部への雨水の侵入を阻止する。
【０１１５】
また、基体１の腕部１ｃは、透光グローブ２の凹溝２ｃに嵌合し、腕部１ｃの外面は透光グローブ２と面一になっている。
【０１１６】
なお、図において、６はソケット、７はソケット取付板、８は水抜き孔である。ソケット取付板７は、ねじ（図示しない。）によって基体１の取付座１ｂ１に固定されている。
【０１１７】
水抜き孔８は、図１ないし３においては図示を省略しているが、基体１の取付部１ａに沿って支承部１ｂに適数個形成されており、グローブ内に侵入した水を外部に排水する。
【０１１８】
図１１は、同じく基体と遮光カバーとの取付構造を示す要部拡大断面図である。
【０１１９】
遮光カバー３は、その取付孔３ｂを腕部１ｃの上端面に形成されたねじ孔１ｃ１に合わせて上からねじ９をねじ孔１ｃ１にねじ込むことによって、基体１に固定されている。
【０１２０】
なお、透光グローブ２の上部開放端に形成された立ち上がり縁２ｅは、遮光カバー３と透光グローブ２との間または遮光カバー３の頂部小孔３ｃから水が侵入して遮光カバー３の内面に沿って流下しても立ち上がり縁２ｅを越えて透光グローブ内に落下するのを阻止するとともに、遮光カバー３を透光グローブ２に覆合させる際にガイド作用を行う。
【０１２１】
以上説明したように、基体１、透光グローブ２および遮光カバー３が組み立てられ、透光グローブ２および遮光カバー３は真球状のグローブＧを構成する。そして、基体１から起立している腕部１ｃは透光グローブ２の側面に形成された凹溝２ｃ内に嵌合してその外面がこれに隣接する透光グローブ２と面一になっているから、グローブＧの真球形状に違和感を与えない。
【０１２２】
図１２は、本発明の照明器具の第２の実施形態における遮光カバー３の取付構造を示す線図である。
【０１２３】
図１３は、同じく要部拡大断面図である。
【０１２４】
各図において、図１ないし図１１と同一部分には同一符号を付して説明は省略する。
【０１２５】
本実施形態は、遮光カバー３の取付構造が第１の実施形態と異なる。すなわち、細長い金属板をほぼ台形状に折曲して、さらに両端部に透光１０ａを、また中央にねじ孔１０ｂをそれぞれ形成したブリッジ部材１０を用意する。そして、ブリッジ部材１０の両端の透光１０ａを腕部１ｃの上端面に形成したねじ孔１ｃ１に合わせてねじ１１をねじ孔１ｃ１にねじ込むことによってブリッジ部材１０を腕部１ｃに固定する。
【０１２６】
次に、遮光カバー３を透光グローブ２に覆合して、遮光カバー３の頂部小孔３ｃからボルト１２をブリッジ部材１０のねじ孔１０ｂにねじ込むと、遮光カバー３はブリッジ部材１０を介して基体１に固定される。
【０１２７】
なお、遮光カバー３には第１の実施形態におけるような取付凹部３ａを形成する必要がないから、遮光カバー３の外観が良好になる。また、ねじ１１の頭部を避けるための凹部３ｄを下端面に形成することにより、透光グローブ２への遮光カバー３の覆合に隙間を生じることなく行うことができる。
【０１２８】
図１４は、本発明の照明器具の第３の実施形態を示す一部縦断面正面図である。
【０１２９】
図において、図１ないし図１１と同一部分には同一符号を付して説明は省略する。
【０１３０】
本実施形態は、遮光カバー３’および基体１’の構造が異なる。すなわち、遮光カバー３’は、その主要部３Ａおよび環状縁３Ｂからなる。
【０１３１】
主要部３Ａは、アルミニウム板を絞り加工によって形成してあり、開口端に内向きのフランジ３Ａ１を形成してある。
【０１３２】
環状縁３Ｂは、アルミニウムダイキャストによって形成してあり、さらに下端側に取付凹部３ａおよび取付孔３ｂを形成し、上端に内向きのフランジ３Ｂ１を形成してある。
【０１３３】
そうして、主要部３Ａのフランジ３Ａ１と環状縁３Ｂのフランジ３Ｂ１とを突き合わせて適当な固着具によって両者を固着して遮光カバー３’を形成してある。
【０１３４】
一方、基体１’は、支承部１ｂおよび腕部１ｃを一体成形するが、取付部１ａを別体に成形してある。そして、取付部の上端に支承部１ｂのフランジ１ｂ４を重ねてねじ１３によって両者を固着してある。
【０１３５】
なお、図中７’はソケット取付板であるが、これは平坦な板体からなる。使用する光源のサイズに応じて光源の発光中心がグローブＧの中心近傍に位置するようにするために必要に応じて平坦なものを用いる。
【０１３６】
また、遮光カバー３’の頂部小孔３ｃに装着したボルト１２は遮光カバー３’の持ち上げ用として用いることができる。
【０１３７】
図１５は、本発明の照明器具の第４の実施形態を示す中央断面正面図である。
【０１３８】
図１６は、同じく中央断面側面図である。
【０１３９】
本実施形態は、第１の実施形態において細部の設計を全体的に見直したものに相当する。したがって、図１ないし図１１と同様の部分については同一符号に「’」記号を付してあるが、主として腕部１ｃ’を支承部１ｂ’と別体にするとともに、透光グローブ２’と遮光カバー３’との間にリング体１３を介在させている点が特徴的である。
【０１４０】
以下、各部を示す図１７ないし図２５を参照しながらその詳細を説明する。
【０１４１】
まず、基体について説明する。
【０１４２】
図１７は、同じく基体の取付部および支承部を示す拡大中央断面正面図である。
【０１４３】
図１８は、同じく基体の取付部および支承部を示す拡大平面図である。
【０１４４】
基体１’の取付部１ａ’および支承部１ｂ’は、アルミニウムダイキャストで一体に成形されている。
【０１４５】
取付部１ａ’は、円筒状をなし、図１６において２点鎖線で示すように、内部に支柱１４の先端部を挿入して、押しねじ１ａ１を四方から支柱に押し当てて固定するようになっている。
【０１４６】
支承部１ｂ’は、取付部１ａ’の上部に位置していて、中央開口１ｂ４、防水囲壁１ｂ５、第１のボス部１ｂ６、第２のボス部１ｂ７、水抜き孔１ｂ８および支承座１ｂ１’を備えている。
【０１４７】
中央開口１ｂ４は、支承部１ｂ’の中央に形成され、取付部１ａ’に連通している。
【０１４８】
防水囲壁１ｂ５は、開口１ｂ４の周囲に形成され、支承座１ｂ１’より高く、支承部１ｂ’に侵入した水が防水囲壁１ｂ５を乗り越えて支柱１２内に落下しないようになっている。
【０１４９】
第１のボス部１ｂ６は、互いに近接する２個を一組として対角線上に２組が防水囲壁１ｂ５と支承座１ｂ１’との間に形成されている。そして、第１のボス部１ｂ６には、ねじ孔ｓｈ１が形成されている。
【０１５０】
第２のボス部１ｂ７は、長円形をなしていて、第１のボス部１ｂ６と同一円周上に９０゜ずれた位置において対角線上に２個が形成されている。そして、第２のボス部１ｂ７の上端には、突起ｐおよびねじ孔ｓｈ２が近接して形成されている。
【０１５１】
水抜き孔１ｂ８は、各組の第１のボス部１ｂ６の間に支承部１ｂ’を貫通して形成されている。
【０１５２】
図１９は、同じく腕部を示す拡大正面図である。
【０１５３】
腕部１ｃ’は、アルミニウムダイキャストからなり、ほぼ円弧状に湾曲していて、下端部に第１のボス部１ｂ６のねじ孔ｓｈ１に対向する通孔ｈ１が形成され、上端面にねじ孔ｓｈ３が形成されている。
【０１５４】
そうして、腕部１ｃ’は、その通孔ｈ１を支承部１ｂ’の第１のボス部１ｂ６のねじ孔ｓｈ１の上に乗せて図１５に示すようにねじｓ１により支承部１ｂ’に固定される。
【０１５５】
次に、光源およびその関連について説明する。
【０１５６】
図１５および図１６に示すように、光源１５はソケット６の装着され、ソケット６はソケット取付板７’に取り付けられている。
【０１５７】
図１９は、同じくソケット取付板を示す拡大正面図である。
【０１５８】
図２０は、同じくソケット取付板を示す拡大平面図である。
【０１５９】
ソケット取付板７’は、取付部７ａ、ソケット取付座７ｂ、電線押さえ部７ｃを備えている。
【０１６０】
取付部７ａは、ソケット取付板７’の両端に形成されており、それぞれ相対的に大きい通孔ｈ２と小さい通孔ｈ３とが形成されている。ソケット取付板７’を支承部１ｂ’に取り付ける際に、大きい通孔ｈ２は、第２のボス部１ｂ７の突起ｐに挿通される。また、小さい通孔ｈ３は、同じくねじ孔ｓｈ２に合わせてねじｓ２により、ねじ孔ｓｈ２に固定される。
【０１６１】
ソケット取付座７ｂは、取付部７ａ、７ａの間においてコ次状に落ち込んで形成されるとともに、一対のねじ孔ｓｈ３、ｓｈ３が形成されている。そして、図１５、図１６に示すソケット６をねじ孔ｓｈ３にねじ止めして取り付ける。
【０１６２】
電線押さえ部７ｃは、ソケット取付座７ｂから下方へ垂下しており、さらに図１６に示すように、電線押さえ具７ｄを装着して、支柱１４内を通線されてソケット６に導かれた電線を張力止めする。
【０１６３】
次に、透光グローブについて説明する。
【０１６４】
図２２は、同じく透光グローブを示す中央断面正面図である。
【０１６５】
図２３は、同じく透光グローブを示す平面図である。
【０１６６】
透光グローブ２’は、下部開口２ａ’、凹溝２ｃ’、底面２ｂ’、上部開放端２ｄ’および立ち上がり縁２ｅ’を備えている。
【０１６７】
下部開口２ａ’は、透光グローブ２’の下部中央に形成されていて、支承部１ｂ’の防水囲壁１ｂ５が通過できる大きさを備えている。
【０１６８】
凹溝２ｃ’は、腕部１ｃ’を受け入れるように透光グローブ２’の対向する側面に上端から下端の底面２ｂ’まで通して形成されている。
【０１６９】
底面２ｂ’は、下部開口２ａ’を取り囲むように形成されていて、腕部１ｃ’の通孔ｈ１を介して支承部１ｂ’の第１のボス部１ｂ６のねじ孔ｓｈ１にねじ込まれているねじｓ１の頭部が通過できる大きさの通孔ｈ４および第２のボス部１ｂ７が挿通する長円形の通孔ｈ５を備えている。
【０１７０】
上部開放端２ｄ’の内側には立ち上がり縁２ｅ’が形成されている。
【０１７１】
そうして、透光グローブ２’をその凹溝２ｃ’を腕部１ｃ’に合わせて落とし込むと、凹溝２ｃ’が腕部１ｃ’に嵌合するとともに、下部開口２ａ’は防水囲壁１ｂ５の外側に、第２のボス部１ｂ７は通孔ｈ５に、それぞれ挿通する。また、通孔ｈ４は、ねじｓ１の頭部を挿通するから、透光グローブ２’の底面２ｂ’が支承部１ｂ’の支承座１ｂ１’の当接して支持される。
【０１７２】
さらに、リング体について説明する。
【０１７３】
図２４は、同じくリング体を示す中央断面正面図である。
【０１７４】
図２５は、同じくリング体を示す中央断面側面図である。
【０１７５】
リング体１３は、アルミニウムダイキャストからなり、基部１３ａ、周溝１３ｂ、起立縁１３ｃ、傾斜面部１３ｄ、ねじ孔１３ｅ、位置決め突起１３ｆ、通孔１３ｇおよび排水溝１３ｈを備えている。
【０１７６】
基部１３ａは、平たいリング状をなしている。
【０１７７】
周溝１３ｂは、基部１３ａの下面において、透光グローブ２’の立ち上がり縁２ｅ’に対向する位置に形成されている。周溝１３ｂ内には図１５および図１６に示すようにＯリング１６が収納される。
【０１７８】
起立縁１３ｃは、基部１３ａの内側から周状に起立している。
【０１７９】
傾斜面部１３ｄは起立縁１３ｃの外側面から突出していて、９０゜間隔で４個配設されている。
【０１８０】
ねじ孔１３ｅは、傾斜面部１３ｄに形成されている。
【０１８１】
位置決め突起１３ｆは、傾斜面部１３ｄに対向する基部１３ａの上面に小さな三角柱状をなしていて、小間隔で離間する２個が一組となって２組配設されている。
【０１８２】
通孔１３ｇは、腕部１ｃ’の上端面のねじ孔ｓｈ３に対向する位置に形成されている。
【０１８３】
排水溝１３ｈは、一組の位置決め突起１３ｆの間において、基部１３ａに切り込んで形成されている。
【０１８４】
そうして、透光グローブ２’の開放端２ｄ’に形成した立ち上がり縁２ｅ’にリング体１３の周溝１３ｂを嵌合させ、リング体１３の通孔１３ｇを腕部１ｃ’の上端面のねじ孔ｓｈ３に合致させて図示しないねじにより、リング体を腕部１ｃ’に固定する。透光グローブ２’の立ち上がり縁２ｅ’がリング体１３の周溝１３ｂに装着したＯリング１３を圧接するため、透光グローブ２’にリング体１３は、シールされて固定される。
【０１８５】
さらに、遮光カバーについて説明する。
【０１８６】
遮光カバー３’は、図１５および図１６に示すように、アルミニウム板を深絞りして球面の一部をなす形状に成形したもので、折り返し縁３ｅおよび通孔３ｆを備えている。
【０１８７】
折り返し縁３ｅは、遮光カバー３’の周縁を折り返して形成している。
【０１８８】
通孔３ｆは、遮光カバー３’の周縁近傍のリング体１３のねじ孔１３ｅに対向する位置に形成している。
【０１８９】
そうして、遮光カバー３’をリング体１３の上に位置決め突起１１ｆに案内されて載置し、通孔３ｆをリング体１３のねじ孔１３ｅに合わせて、ねじ３ｇをねじ込むことにより、遮光カバー３’はリング体１３に固定される。
【０１９０】
使用中に遮光カバーの内面に結露した水が遮光カバー３’の内面を流下しても、水は排水溝１３ｈからグローブＧの外部に排水される。
【０１９１】
最後に、作用について説明する。
【０１９２】
グローブＧは、ほぼ真球形状であるが、透光グローブ２’の上端が上下方向の中央より上に位置しているから、所望の配光特性が得られる。
【０１９３】
リング体１３を透光グローブ２’と遮光カバー３’との間に介在させているので、遮光カバー３’の取り付けが容易である。
【０１９４】
腕部１ｃ’とリング体１３とで透光グローブ２’を挟持しているので、透光グローブ囲２’の組み立てが容易である。
【０１９５】
透光グローブ２’の内面に結露した水が流下して支承部１ｂ’に落下した場合、水は第１のボス部１ｂ６の間に形成された水抜き孔１ｂ８から外部へ排水される。
【０１９６】
水抜き孔１ｂ８は、第１のボス部１ｂ６の間に形成され、上部に腕部１ｃ’が位置しているので、水抜き孔１ｂ８からは殆ど光が漏れない。このため、水抜き孔１ｂ８からの昆虫の侵入は著しく少ない。
【０１９７】
【発明の効果】
請求項１ないし１２の各発明によれば、基体から複数の腕部を起立させ、腕部の間に透光カバーを位置させて基体の支承部に遮光カバーの底面を当接させて固定し、遮光カバーを腕部に直接または間接的に固定するとともに、透光グローブとこれに覆合する遮光カバーとでグローブの主要部を構成したことにより、天空方向へ障害光を放射しないとともに、遮光カバーを外して光源を着脱することにより、光源の着脱が容易で、かつ所望サイズおよび構造のルーバなどの制光部材をグローブに収納することができる照明器具を提供することができる。
【０１９８】
請求項２の発明によれば、加えて基体の腕部が嵌合する凹溝を透光グローブの側面に形成し、さらに腕部の外面をこれに隣接する透光グローブとほぼ面一にすることにより、外観の優美な照明器具を提供することができる。
【０１９９】
請求項３の発明によれば、加えて透光グローブと遮光カバーとでほぼ真球状のグローブを形成したことにより、従来の真球状のグローブと同様な形状でありながら天空方向への障害光放射がないとともに、強度を向上した照明器具を提供することができる。
【０２００】
請求項４の発明によれば、加えて遮光カバーの下端周縁を基体の腕部に固定することにより、遮光カバーの取付構造が簡単な照明器具を提供することができる。
【０２０１】
請求項５の発明によれば、加えて遮光カバーをブリッジ部材を介して腕部に固定したことにより、遮光カバーの外観を向上させた照明器具を提供することができる。
【０２０２】
請求項６の発明によれば、加えて透光グローブが合成樹脂製で、遮光カバーが金属製であることにより、投石などによるグローブの破損がなくて、しかも天空方向への障害光の放射のない照明器具を提供することができる。
【０２０３】
請求項７の発明によれば、加えて透光グローブと遮光カバーとの間にリング体を介在していることにより、グローブの強度が向上するとともに、必要に応じて遮光カバーの内面から流下した水を排水させることができる照明器具を提供することができる。
【０２０４】
請求項８の発明によれば、加えて遮光カバーをリング体にねじで着脱自在に固定したことにより、遮光カバーの着脱作業が容易になるために、メンテナンスしやすい照明器具を提供することができる。
【０２０５】
請求項９の発明によれば、加えて透光グローブを腕部とリング体との間に挟持したことにより、透光グローブの組み付けが容易な照明器具を提供することができる。
【０２０６】
請求項１０の発明によれば、加えて透光グローブの上端がグローブの上下方向の中央より上方に位置していることにより、所望の配光特性を得ることができるとともに、デザイン性が向上した照明器具を提供することができる。
【０２０７】
請求項１１の発明によれば、加えて遮光カバーの開口端が折り返されていることにより、遮光カバーの強度を大きくして、なるべく薄い材料を使用した照明器具を提供することができる。
【０２０８】
請求項１２の発明によれば、加えて支承部の複数のボス部の間に水抜き孔を形成するとともに、ボス部の上に遮光性部材を載置していることにより、光が殆ど漏れないため、昆虫が侵入しにくい照明器具を提供することができる。
【図面の簡単な説明】
【図１】本発明の照明器具の第１の実施形態を斜め横方向から見た側面図
【図２】本発明の照明器具の第１の実施形態における基体の一部縦断面正面図
【図３】同じく一部縦断面側面図
【図４】同じく平面図
【図５】本発明の照明器具の第１の実施形態における透光グローブの一部縦断面正面図
【図６】同じく側面図
【図７】同じく平面図
【図８】本発明の照明器具の第１の実施形態における遮光カバーの側面図
【図９】同じく底面図
【図１０】本発明の照明器具の第１の実施形態における基体と透光グローブとの取付構造を示す要部拡大断面図
【図１１】同じく基体と遮光カバーとの取付構造を示す要部拡大断面図
【図１２】本発明の照明器具の第２の実施形態における遮光カバーの取付構造を示す線図
【図１３】同じく要部拡大断面図
【図１４】本発明の照明器具の第３の実施形態を示す一部縦断面正面図
【図１５】本発明の照明器具の第４の実施形態を示す中央断面正面図
【図１６】同じく中央断面側面図
【図１７】同じく基体の取付部および支承部を示す拡大中央断面正面図
【図１８】同じく基体の取付部および支承部を示す拡大平面図
【図１９】同じく腕部を示す拡大正面図
【図２０】同じくソケット取付板を示す拡大正面図
【図２１】同じくソケット取付板を示す拡大平面図
【図２２】同じく透光グローブを示す中央断面正面図
【図２３】同じく透光グローブを示す平面図
【図２４】同じくリング体を示す中央断面正面図
【図２５】同じくリング体を示す中央断面側面図
【符号の説明】
１…基体
１ａ…取付部
１ｂ…支承部
１ｃ…腕部
２…透光グローブ
３…遮光カバー
３ａ…取付凹部
９…ねじ
Ｇ…グローブ
【図１】
0003873395.tif 000002
【図２】
0003873395.tif 000003
【図３】
0003873395.tif 000004
【図４】
0003873395.tif 000005
【図５】
0003873395.tif 000006
【図６】
0003873395.tif 000007
【図７】
0003873395.tif 000008
【図８】
0003873395.tif 000009
【図９】
0003873395.tif 000010
【図１０】
0003873395.tif 000011
【図１１】
0003873395.tif 000012
【図１２】
0003873395.tif 000013
【図１３】
0003873395.tif 000014
【図１４】
0003873395.tif 000015
【図１５】
0003873395.tif 000016
【図１６】
0003873395.tif 000017
【図１７】
0003873395.tif 000018
【図１８】
0003873395.tif 000019
【図１９】
0003873395.tif 000020
【図２０】
0003873395.tif 000021
【図２１】
0003873395.tif 000022
【図２２】
0003873395.tif 000023
【図２３】
0003873395.tif 000024
【図２４】
0003873395.tif 000025
【図２５】
0003873395.tif 000026